(57)【要約】【課題】  本発明は窓被覆材のための薄い織物を陳列できる装置に関し、従前は、人が蓋部を持ち上げて開いた位置に保持するように操作し、開いた位置で布を示すように操作する見本用の装置やシステムが必要とされる。【解決手段】  本発明に実施の形態では、見本基台と離間するように持ち上げ片を操作するため、見本基台１０が持ち上げ片１４と基材２０に接続され、支持腕部１６が持ち上げ片に機械的に結合され基材に支持される構造を有する。見本覆い１２は複数の支持羽根部１８に取り付けられたとき、支持腕部は基材に対して支持されることができ、人が蓋部を開いた位置に保持することを必要とせずに、見本覆いと複数の支持羽根部を支持腕部から陳列することができる。【選択図】  図４
2016507268.tif 000002
【特許請求の範囲】
【請求項１】
布製見本覆いを操作する構造の陳列装置であって、
持ち上げ片に機械的に結合された見本基台と、
前記見本基台と離間するように前記持ち上げ片を操作する構造とされ前記持ち上げ片に機械的に結合された支持腕部と、
前記見本基台に機械的に結合され前記持ち上げ片が前記見本基台から離間されるときに前記支持腕部に近接される基材とを有し、
第１の見本覆い表面側と第１の見本覆い裏面側を有する第１の見本覆いを有し、前記第１の見本覆い表面側は機械的に前記支持腕部に結合され、
複数の第１の支持羽根部表面側と複数の第１の支持羽根部裏面側を有する複数の第１の支持羽根部を有し、前記複数の第１の支持羽根部表面側は前記第１の見本覆い裏面側に接続され、前記複数の第１の支持羽根部裏面側は前記基材に接続され、
前記支持腕部は前記基材に対して支持されて前記支持腕部から前記第１の見本覆いと前記複数の第１の支持羽根部を陳列することを特徴とする陳列装置。
【請求項２】
請求項１記載の陳列装置であって、第２の見本覆い表面側と第２の見本覆い裏面側を有する第２の見本覆いを有し、前記第２の見本覆い表面側は機械的に前記支持腕部に結合され、
複数の第２の支持羽根部表面側と複数の第２の支持羽根部裏面側を有する複数の第２の支持羽根部を有し、前記複数の第２の支持羽根部表面側は前記第２の見本覆い裏面側に接続され、前記複数の第２の支持羽根部裏面側は前記基材に接続されることを特徴とする陳列装置。
【請求項３】
請求項１記載の陳列装置であって、第２の見本覆い表面側と第２の見本覆い裏面側を有する第２の見本覆いを有し、前記第２の見本覆い表面側は機械的に前記支持腕部に結合され、
複数の第２の支持羽根部表面側と複数の第２の支持羽根部裏面側を有する複数の第２の支持羽根部を有し、前記複数の第２の支持羽根部表面側は前記第２の見本覆い裏面側に接続され、前記複数の第２の支持羽根部裏面側は前記基材に接続され、
第３の見本覆い表面側と第３の見本覆い裏面側を有する第３の見本覆いを有し、前記第３の見本覆い表面側は機械的に前記支持腕部に結合され、
複数の第３の支持羽根部表面側と複数の第３の支持羽根部裏面側を有する複数の第３の支持羽根部を有し、前記複数の第３の支持羽根部表面側は前記第３の見本覆い裏面側に接続され、前記複数の第３の支持羽根部裏面側は前記基材に接続されることを特徴とする陳列装置。
【発明の詳細な説明】
【技術分野】
【０００１】
ここでの実施の形態は、一般的に窓覆いのための薄い織物を陳列できる装置に関する。
【背景技術】
【０００２】
開示される発明の実施形態に先んじ、人が蓋部を持ち上げて開いた位置に保持するように操作し、開いた位置で布を示すように操作する見本用の装置やシステムが必要とされている。従来の技術として、シュワルツ（Schwartz）により出願された米国特許出願  2013/0042511、アッカーマン（Ackerman） に付与された米国特許第4,458,435号、及びボーデン（Boden）に付与された米国特許第3,776,503号が含まれる。
【０００３】
シュワルツ（の出願）は同問題への代替策を提案する。シュワルツは、看板から見本を取り替えることで複数の見本が陳列されるものを教示する。本発明は、シュワルツには見られない、見本を一斉に持ち上げること教示する。アッカーマン（の出願）は、見本を差し込む本を使用し、そうする為のカバーを使用するよりむしろ個々の見本を手で持ち上げることを教示する。ボーデン（の出願）は、手慣れた使用者を補助する装置を教示し、その装置はシュワルツのように手で上げたり下げたりできる突起部の列を有する。
【発明の概要】
【発明が解決しようとする課題】
【０００４】
陳列装置は、布製見本覆いを操作する構造とされ、見本基台と離間するように持ち上げ片を操作するため、持ち上げ片に接続される見本基台及び支持腕部を有する。基材は見本基台に接続され、前記持ち上げ片が前記見本基台から離間されるときに前記支持腕部を支持する構造を有する。第１の見本覆い表面側は前記支持腕部に接続される。複数の第１の支持羽根部表面側は前記第１の見本覆い裏面側に接続され、複数の第１の支持羽根部裏面側は前記基材に接続される。前記支持腕部は前記基材に対して支持されて前記支持腕部から前記第１の見本覆いと前記複数の第１の支持羽根部を陳列する。
【０００５】
いくつかの実施形態では、第２の見本覆いは第２の見本覆い表面側と第２の見本覆い裏面側を有する。前記第２の見本覆い表面側は機械的に前記支持腕部に結合される。複数の第２の支持羽根部は、複数の第２の支持羽根部表面側と複数の第２の支持羽根部裏面側を有する。前記複数の第２の支持羽根部表面側は前記第２の見本覆い裏面側に接続され、前記複数の第２の支持羽根部裏面側は前記基材に接続される。第３の見本覆いは、第３の見本覆い表面側と第３の見本覆い裏面側を有する。前記第３の見本覆い表面側は機械的に前記支持腕部に結合される。複数の第３の支持羽根部は、複数の第３の支持羽根部表面側と複数の第３の支持羽根部裏面側を有する。前記複数の第３の支持羽根部表面側は前記第３の見本覆い裏面側に接続され、前記複数の第３の支持羽根部裏面側は前記基材に接続される。
【図面の簡単な説明】
【０００６】
本発明のいくつかの実施形態の詳細な説明は、添付の図面を参照することでなされるものであり、番号等は図面の対応する部品を表すものとされる。
【図１】延長していない構造の本発明の実施形態の斜視図である。
【図２】延長していない構造の本発明の実施形態の側面図である。
【図３】延長された構造の本発明の実施形態の側面図である。
【図４】延長された構造の本発明の実施形態の側面図である。
【発明を実施するための形態】
【０００７】
例示の方法により、そして図１を参照すると、陳列装置の１つの実施形態は、見本覆い１２に機械的に結合した見本基台１０を有している。見本覆い１２は図２及び図３に詳しく示すように陳列される。
【０００８】
図２及び図３に示すように、見本基台１０は基材２０と持ち上げ片１４に機械的に結合する。持ち上げ片１４は持ち上げ片前端と持ち上げ片後端を有する。持ち上げ片後端は支持腕部１６に機械的に結合される。支持腕部１６は、持ち上げ片後端に機械的に結合される支持腕部上側と、第１の見本覆い１２に機械的に結合される支持腕部底側とを有する。第１の見本覆い１２は、更に第１の見本覆い裏面側と第１の見本覆い表面側を有する。
【０００９】
基材２０はさらに第１支持羽根部１８、第２支持羽根部１８に、さらにＮの支持羽根部に進んで、まとめて複数の第１の支持羽根部１８に、機械的に結合される。Ｎは使用者によって選ぶことのできる最終の支持羽根部の数である。第１の支持羽根部１８は、第１の支持羽根部表面側と第１の支持羽根部裏面側とを有する。第１の支持羽根部表面側は、第１の見本覆い１２の裏面側に機械的に結合される。このようにすることで、支持腕部１６は基材上部の直ぐ近くに位置する。これは第１の見本覆い１２を外側に突出させ、どの布が最良の窓覆いかを見分けるのに使うことのできるように使用者が基材２０と第１の支持羽根部１８を簡単に陳列できるものとされる。
【００１０】
第１の支持羽根部１８は第１の支持羽根部裏面側を有し、その裏面側は第１の見本覆い裏面に機械的に結合される。同様に、第２の支持羽根部１８も第２の支持羽根部表面側を有し、その表面側は第１の見本覆い裏面側及び第２の支持羽根部裏面側に機械的に結合される。さらに、第３の支持羽根部１８は第３の支持羽根部表面側を有し、その表面側は第１の見本覆い裏面側及び第３の支持羽根部裏面側に機械的に結合される。このパターンは使用者の望むところまで続けられ、Ｎ番目の支持羽根部は複数の見本１２のＮ−１番目の裏面に機械的に結合ざれる。
【００１１】
いくつかの実施形態においては、第２の見本覆い１２を有する。第２の見本覆い１２は第１の見本覆い１２とは平行とされ、同様に第２の見本覆い表面側及び第２の見本覆い裏面側を有する。第２の見本覆い表面側は支持腕部１６に機械的に結合される。第２の見本覆い裏面側は複数の第２の支持羽根部１８に接続される。複数の第２の支持羽根部は、上述のように、複数の第２の支持羽根部表面側と複数の第２の支持羽根部裏面側を備えたいくつかの支持羽根部１８を有する。
【００１２】
いくつかの実施形態においては、第３の見本覆い１２を有する。第３の見本覆い１２は第１の見本覆い１２とは平行とされ、同様に第３の見本覆い表面側及び第３の見本覆い裏面側を有する。第３の見本覆い表面側は支持腕部１６に機械的に結合される。第３の見本覆い裏面側は複数の第３の支持羽根部１８に接続される。複数の第３の支持羽根部は、上述のように、複数の第３の支持羽根部表面側と複数の第３の支持羽根部裏面側を備えたいくつかの支持羽根部１８を有する。
【００１３】
本発明の実施形態は、知られた材料で知られた方法で作成することができるが、以下の構造が効果的である。見本基台１０はどのようなサイズでも打ち抜けるものである。持ち上げ片１４と支持腕部１６は同様に打ち抜きされ得る。持ち上げ片１４と支持腕部１６は２つの別個の部材を接着剤で結合したものとしても良く、同じ押出特性の１つの部材としても良い。見本覆い１２はこの分野で共通に使用される種々のものとすることができるが、サイズや形状は変えることができる。基材は、使用者の望みに応じてカード用紙からプラスチックまでいかなるものでも良い。いくつかの実施形態においては、バインダー内に配されたり壁掛けとされるように、見本基台１０は孔で切り取ることができる。
【００１４】
本技術の当業者は、発明したシステムの機能的な利点を享受するために、数多くの設計構造があることを理解するものである。従って、本発明の実施形態の構造や配列には多くの態様を与え、本発明の範囲は、上述の実施形態により狭められるものではなく、以下の特許請求の範囲の利益を反映する。
【産業上の利用可能性】
【００１５】
本発明の目的は、支持腕部を使用して、人間の使用者が見本覆いを支持する際に、見本覆いと複数の支持羽根部を支持腕部から陳列させるものである。
【図１】
2016507268.tif 000003
【図２】
2016507268.tif 000004
【図３】
2016507268.tif 000005
【図４】
2016507268.tif 000006
【国際調査報告】
2016507268.tif 000007
2016507268.tif 000008